(57)【要約】【課題】携帯電話機に、ＲＦタグまたは非接触形ＩＣカードを読み取る機能と、ＲＦタグまたは非接触形ＩＣカードとしての機能とを付加しながら、機器本体が大型化することを防止する。【解決手段】本発明の携帯電話機１は、ＲＦタグまたは非接触形ＩＣカードを読み取る読取回路３を備えたものにおいて、ＲＦタグまたは非接触形ＩＣカードとしての機能を、前記読取回路３で模擬するように構成したので、携帯電話機１に、ＲＦタグまたは非接触形ＩＣカードを読み取る機能と、ＲＦタグまたは非接触形ＩＣカードとしての機能とを付加しながら、携帯電話機１本体が大型化することを防止できる。【選択図】  図１
2005020173.tif 000002
【特許請求の範囲】
【請求項１】
ＲＦタグまたは非接触形ＩＣカードを読み取る読取回路を備えたＲＦタグ非接触形ＩＣカード読取機能付き携帯電話機において、
ＲＦタグまたは非接触形ＩＣカードとしての機能を、前記読取回路で模擬することを特徴とするＲＦタグ非接触形ＩＣカード読取機能付き携帯電話機。
【請求項２】
折りたたみ式のカード形状の本体を備えたことを特徴とする請求項１記載のＲＦタグ非接触形ＩＣカード読取機能付き携帯電話機。
【請求項３】
前記本体が折りたたまれた状態あることを検出する検出手段と、
前記検出手段からの検出結果に基づいて、前記読取回路を、ＲＦタグまたは非接触形ＩＣカードのリーダライターとして機能させるモードとするか、ＲＦタグまたは非接触形ＩＣカードとして機能させるモードとするかを設定するモード設定手段とを備えたことを特徴とする請求項２記載のＲＦタグ非接触形ＩＣカード読取機能付き携帯電話機。
【請求項４】
携帯電話機の全体を制御するＭＰＵによって、前記読取回路を制御するように構成したことを特徴とする請求項１ないし３のいずれかに記載のＲＦタグ非接触形ＩＣカード読取機能付き携帯電話機。
【発明の詳細な説明】
【０００１】
【発明の属する技術分野】
本発明は、ＲＦタグまたは非接触形ＩＣカードを読み取る機能を備えたＲＦタグ非接触形ＩＣカード読取機能付き携帯電話機に関する。
【０００２】
【従来の技術】
携帯電話機にＲＦタグを読み取る機能を付加することが考えられている。この構成によれば、携帯電話機をＲＦタグ読取装置として使用できるので、使い勝手がよくなる。この構成の場合、携帯電話機にＲＦタグ読取回路を組み込むだけで製造可能である。
【０００３】
一方、携帯電話機にＲＦタグとしての機能を付加することも考えられている。この構成の場合、携帯電話機にＲＦタグとしての機能を実現するＲＦタグ回路を組み込むことにより製造することができる。尚、このような構成の装置に関連する技術として、次の特許文献１が知られている。
【０００４】
【特許文献１】
特開平４−１４７０８２号公報
【０００５】
【発明が解決しようとする課題】
さて、本発明者は、携帯電話機に上記した２つの機能、即ち、ＲＦタグを読み取る機能と、ＲＦタグとしての機能とを付加してみようと考えた。この場合、ＲＦタグ読取回路とＲＦタグ回路を携帯電話機に組み込めば、具体的には、携帯電話機に内蔵されたプリント配線基板に上記２つの回路を実装するように構成すれば、実現することができる。
【０００６】
しかし、携帯電話機のプリント配線基板に上記２つの回路を実装するためには、プリント配線基板の面積を大きくする必要があることから、プリント配線基板が大型化し、ひいては、携帯電話が大型化してしまうという不具合があった。尚、ここまでは、携帯電話機にＲＦタグの読取機能及びＲＦタグとしての機能を付加する構成について説明したが、ＲＦタグに代えて非接触形ＩＣカードを用いた場合、即ち、携帯電話機に非接触形ＩＣカードの読取機能及び非接触形ＩＣカードとしての機能を付加する構成を製造する場合も、同様な不具合が生ずることがわかっている。
【０００７】
本発明は上記事情に鑑みてなされたものであり、その目的は、携帯電話機に、ＲＦタグまたは非接触形ＩＣカードを読み取る機能と、ＲＦタグまたは非接触形ＩＣカードとしての機能とを付加しながら、機器本体が大型化することを防止できるＲＦタグ非接触形ＩＣカード読取機能付き携帯電話機を提供するにある。
【０００８】
【課題を解決するための手段】
請求項１の発明によれば、ＲＦタグまたは非接触形ＩＣカードを読み取る読取回路を備えた携帯電話機において、ＲＦタグまたは非接触形ＩＣカードとしての機能を、前記読取回路で模擬するように構成したので、携帯電話機に、ＲＦタグまたは非接触形ＩＣカードを読み取る機能と、ＲＦタグまたは非接触形ＩＣカードとしての機能とを付加しながら、携帯電話機本体が大型化することを防止できる。
【０００９】
請求項２の発明によれば、携帯電話機の本体を、折りたたみ式のカード形状としたので、携帯電話機の本体が小形軽量になると共に、携帯電話機の外観のデザインも良好なものとなる。
【００１０】
請求項３の発明においては、前記本体が折りたたまれた状態あることを検出する検出手段を備えると共に、前記検出手段からの検出結果に基づいて、前記読取回路を、ＲＦタグまたは非接触形ＩＣカードのリーダライターとして機能させるモードとするか、ＲＦタグまたは非接触形ＩＣカードとして機能させるモードとするかを設定するモード設定手段を備えるように構成した。
【００１１】
請求項４の発明によれば、携帯電話機の全体を制御するＭＰＵによって、前記読取回路を制御するように構成したので、ＭＰＵを共通化できることから、部品点数を削減することができ、ひいては、本体を小形化することが可能である。
【００１２】
【発明の実施の形態】
以下、本発明の第１の実施例について、図１ないし図３を参照しながら説明する。まず、図１は、本実施例のＲＦタグ読取機能付き携帯電話機１の電気的構成を示す機能ブロック図である。この図１に示すように、本実施例のＲＦタグ読取機能付き携帯電話機１は、携帯電話機能部２と、ＲＦタグリーダライター機能部３と、電源回路４とから構成されている。
【００１３】
携帯電話機能部２は、周知の携帯電話機の電気的構成とほぼ同じ構成で構成されており、携帯電話機の各種機能を有している。この携帯電話機能部２は、ＭＰＵ５と、メモリ６と、携帯電話通信回路７とを備えて構成されている。ＭＰＵ５は、携帯電話機能部２全体を制御する機能を有している。メモリ６は、ＲＯＭ、ＲＡＭ、ＥＥＰＲＯＭ等で構成されている。
【００１４】
電源回路４は、上記携帯電話機能部２及びＲＦタグリーダライター機能部３へ電源を供給するものであり、周知の携帯電話機の電源部とほぼ同じ構成で構成されており、充電可能なバッテリ（２次電池）を備えている。
【００１５】
ＲＦタグリーダライター機能部３は、ＲＦタグを読み取るＲＦタグリーダとしての機能と、ＲＦタグにデータを書き込むＲＦタグライターとしての機能とを有している。このＲＦタグリーダライター機能部３が、本発明の読取回路を構成している。
【００１６】
そして、上記ＲＦタグリーダライター機能部３は、制御部８と、エンコードデコード化ディジタル処理部９と、変復調アナログ処理部１０と、アンテナ部１１とを備えて構成されている。制御部８は、ＲＦタグリーダライター機能部３の動作全体を制御する機能を有しており、ＣＰＵ、ＲＯＭ、ＲＡＭ、ＥＥＰＲＯＭ等を備えて構成されている。
【００１７】
ここで、制御部８のＲＯＭには、ＲＦタグリーダライター機能部３を制御するための制御プログラムが記憶されており、この制御プログラムは、ＲＦタグリーダライターとしての動作を制御する制御プログラムと、ＲＦタグとしての動作を制御する制御プログラム（即ち、ＲＦタグの機能を模擬（シミュレーション）するための制御プログラム）とから構成されている。
【００１８】
また、制御部８のＥＥＰＲＯＭは、不揮発性メモリであり、ＲＦタグリーダライターとして動作するときにアクセス可能なメモリであると共に、ＲＦタグとして動作するときにアクセス可能なメモリでもある。即ち、上記ＥＥＰＲＯＭの全体（またはその一部）が公開メモリを構成している。
【００１９】
次に、図２を参照して、周知構成のＲＦタグリーダライター１２によって、周知構成のＲＦタグ１３を読み取る場合の動作について説明する。まず、ＲＦタグリーダライター１２からＲＦタグ１３へ送信する場合、ＲＦタグリーダライター１２においては、送信用のデータをエンコードし、このエンコードしたデータを変調し、この変調した送信信号をアンテナを介してＲＦタグ１３へ向けて送信するように構成されている。
【００２０】
そして、ＲＦタグ１３においては、上記ＲＦタグリーダライター１２からの送信信号をアンテナを介して受信すると、この受信信号を復調し、この復調した信号をデコードし、このデコードしたデータを入力して、このデータ（例えばコマンド等）に基づいた処理を実行するように構成されている。尚、ＲＦタグ１３は、周知のように、受信信号の電力（受信電力）に基づいて動作するように構成されている。
【００２１】
次に、ＲＦタグ１３からＲＦタグリーダライター１２へ送信する場合、即ち、ＲＦタグ１３から送信された送信信号をＲＦタグリーダライター１２が受信する場合の動作について説明する。この場合、ＲＦタグ１３においては、送信用のデータをエンコードし、このエンコードしたデータを変調し、この変調した送信信号をアンテナを介してＲＦタグリーダライター１２へ向けて送信するように構成されている。
【００２２】
そして、ＲＦタグリーダライター１２においては、上記ＲＦタグ１３からの送信信号をアンテナを介して受信すると、この受信信号を復調し、この復調した信号をデコードし、このデコードしたデータを入力して、このデータ（例えばＲＦタグ１３のＩＤデータ等）に基づいた処理を実行するように構成されている。
【００２３】
ここで、上記ＲＦタグリーダライター機能部３がＲＦタグリーダライター１２として動作する場合は、エンコードデコード化ディジタル処理部６がデータのエンコード処理（送信時）とデータのデコード処理（受信時）を実行し、変復調アナログ処理部７が変調処理（送信時）と復調処理（受信時）を実行するように構成されている。
【００２４】
また、上記ＲＦタグリーダライター機能部３がＲＦタグ１３として動作する場合（ＲＦタグ１３としての機能を模擬する場合）は、エンコードデコード化ディジタル処理部６がデータのデコード処理（受信時）とデータのエンコード処理（送信時）を実行し、変復調アナログ処理部７が復調処理（受信時）と変調処理（送信時）を実行するように構成されている。
【００２５】
ここで、ＲＦタグリーダライター機能部３が、ＲＦタグリーダライター１２としての機能と、ＲＦタグ１３としての機能とを共通して実現するために必要な構成として、ソフトウエア構成とハードウエア構成があり、ソフトウエア構成としては、上記２つの機能を実現する２つの制御プログラムを備え、実行する機能（モード）に応じて実行する制御プログラムを切り替えるように構成されている。これに対して、ハードウエア構成は、図２に示すように、上記２つの機能に対してほとんど共用することができる。
【００２６】
尚、上記２つの機能に対して共用できないハードウエア構成がある場合には、その共用できないハードウエア構成だけをそれぞれ設けるように構成すれば良い。これにより、ＲＦタグリーダライター機能部３のハードウエア構成は、周知のＲＦタグ読取装置のハードウエア構成とほぼ同じ構成となり、ソフトウエア構成が異なるような構成となっている。
【００２７】
次に、上記構成の携帯電話機１の動作について、図３のフローチャートも参照して説明する。携帯電話機１の電源がオンされている状態で、ステップＳ１０において、ユーザーによりキー操作が実行されると、ステップＳ２０へ進み、上記キー操作が、携帯電話機１をＲＦタグリーダライターとして機能させるための設定であるか否かを判断するように構成されている。
【００２８】
上記判断ステップＳ２０において、ＲＦタグリーダライターとして機能させるための設定であると判断された場合、「ＹＥＳ」へ進み、携帯電話機１をＲＦタグリーダライターとして機能させるモード（リーダライターモード）を設定する（ステップＳ３０）。この場合、例えば、モード判定用のフラグを「１」に設定する。
【００２９】
続いて、ステップＳ４０へ進み、携帯電話機１のＲＦタグリーダライター機能部３をＲＦタグリーダライターとして動作させるように制御する構成となっている。これにより、携帯電話機１（ＲＦタグリーダライター機能部３）がリーダライターモードで動作し、携帯電話機１によってＲＦタグを読み取ることが可能になる。
【００３０】
一方、上記ステップＳ２０において、ＲＦタグリーダライターとして機能させるための設定でないと判断された場合、「ＮＯ」へ進み、ステップＳ５０へ進み、前記キー操作が、携帯電話機１をＲＦタグとして機能させるための設定であるか否かを判断する。
【００３１】
この判断ステップＳ５０において、ＲＦタグとして機能させるための設定であると判断された場合、「ＹＥＳ」へ進み、携帯電話機１（ＲＦタグリーダライター機能部３）をＲＦタグとして機能させるモード（ＲＦタグモード）に設定する（ステップＳ６０）。この場合、例えば、モード判定用のフラグを「０」に設定する。
【００３２】
続いて、ステップＳ７０へ進み、携帯電話機１のＲＦタグリーダライター機能部３をＲＦタグとして動作させるように制御する構成となっている。これにより、携帯電話機１（ＲＦタグリーダライター機能部３）がＲＦタグモードで動作し、他のＲＦタグ読取装置によって、携帯電話機１（ＲＦタグリーダライター機能部３）、即ち、ＲＦタグを読み取ることが可能になる。
【００３３】
尚、携帯電話機１のＲＦタグリーダライター機能部３がＲＦタグとして動作する場合、通常のＲＦタグと同様にして、受信電力を動作電源としている。この場合、ＲＦタグリーダライター機能部３の動作電力が小さくなるから、携帯電話機１（ＲＦタグリーダライター機能部３）をＲＦタグとして機能させる場合、そのときの返信電力の大きさは、携帯電話機１（ＲＦタグリーダライター機能部３）をＲＦタグリーダライターとして動作させるときの返信電力（送信電力）よりも小さくなる（即ち、通常のＲＦタグの返信電力程度となる）。
【００３４】
また、上記携帯電話機１のＲＦタグリーダライター機能部３がＲＦタグとして動作する場合の電源を、携帯電話機１の電源回路４から得るように構成しても良い。即ち、携帯電話機１の電源部４のバッテリからＲＦタグリーダライター機能部３（ＲＦタグの読取回路）に給電するように構成しても良い。このように構成すると、ＲＦタグリーダライター機能部３の動作電力が大きくなるから、携帯電話機１（ＲＦタグリーダライター機能部３）をＲＦタグとして機能させる場合の返信電力の大きさが、通常のＲＦタグの返信電力よりも大きくなる。これにより、携帯電話機１をＲＦタグとして動作させるときの通信距離を長くすることができる。
【００３５】
一方、上記ステップＳ５０において、ＲＦタグリーダライター機能部３をＲＦタグとして機能させるための設定でないと判断された場合、「ＮＯ」へ進み、携帯電話機１の他の機能、即ち、携帯電話機１としての各機能を上記キー操作に対応するように動作させるモードとなる（ステップＳ８０）。
【００３６】
さて、上記携帯電話機１の電源がオフされている場合には、携帯電話機１（ＲＦタグリーダライター機能部３）をＲＦタグとして機能させるモード（ＲＦタグモード）が自動的に設定されている。従って、携帯電話機１の電源オフ時には、携帯電話機１はＲＦタグとして動作する。即ち、他のＲＦタグ読取装置によって、携帯電話機１（即ち、ＲＦタグ）を読み取ることが可能になる。
【００３７】
この場合、携帯電話機１（ＲＦタグリーダライター機能部３）がＲＦタグとして動作する場合、通常のＲＦタグと同様にして、受信電力を動作電源としている。尚、電源オフ時にも、携帯電話機１（ＲＦタグリーダライター機能部３）がＲＦタグとして動作する場合の電源を、携帯電話機１の電源回路４から得るように構成しても良い。
【００３８】
そして、このように、携帯電話機１の電源オフ時に、携帯電話機１がＲＦタグとして動作する構成であると、携帯電話機１をリサイクル処理するときに、他のＲＦタグ読取装置によって、携帯電話機１（ＲＦタグ）からリサイクル情報を容易に読み出すことができる。この場合、携帯電話機１がＲＦタグとして動作するときにアクセス可能なメモリ（公開メモリ、本実施例の場合、ＥＥＰＲＯＭ）に上記リサイクル情報（リサイクル時に必要な情報）を予め書き込んでおく必要がある。尚、上記リサイクル情報としては、製品情報、工場生産時の情報、工場出荷時の情報、使用時の情報、故障（障害）情報等がある。
【００３９】
ここで、携帯電話機１をＲＦタグとして使用する場合の具体的用途について、以下説明する。まず、携帯電話機１のＲＦタグをプリペイドカードとして使用する使用形態がある。これにより、例えば自動販売機がＲＦタグリーダライターを備えた構成の場合、携帯電話機１（ＲＦタグ）を自動販売機に近づけるだけで商品を購入することが可能となる。また、駅の自動改札機がＲＦタグリーダライターを備えた構成の場合、携帯電話機１（ＲＦタグ）を自動改札機に近づけるだけで改札することが可能となる。
【００４０】
更に、携帯電話機１のＲＦタグを予約カードとして使用する使用形態がある。具体的には、携帯電話機１（ＲＦタグ）を、コンサートやエベント等の入場券として利用したり、本や通信販売品や種々の商品等の購入予約券として利用したり、鉄道の指定席や飛行機の航空券として利用したりすることが可能になる。
【００４１】
また、携帯電話機１のＲＦタグを、その携帯電話機１自身のライフサイクル管理に使用することも可能である。この場合には、携帯電話機１（ＲＦタグ）に、流通管理のデータ、販売管理のデータ（ＪＡＮコード等）、在庫管理のデータ、リサイクルデータ（材料や稼動実績等を示すデータ）等を適宜記憶させるように構成すれば良い。
【００４２】
次に、携帯電話機１をＲＦタグリーダライターとして使用する場合の具体的用途について、説明する。まず、携帯電話機１のＲＦタグリーダライターを、各種の電気機器を制御する制御用リモコンとして使用する使用形態がある。具体的には、携帯電話機１（ＲＦタグリーダライター）を、テレビやエアコンやステレオ等のリモコンとして使用したり、住宅の玄関の鍵（リモコン）として使用したり、車のドアの鍵（リモコン）として使用したり、パソコンのセキュリティ用のリモコンとして使用したりすることが好ましい。
【００４３】
また、２個の携帯電話機１の間でデータを受け渡ししたい場合に、データを受け取る側の携帯電話機１をＲＦタグリーダライターとして使用し、データを渡す側の携帯電話機１をＲＦタグとして使用するように構成すれば良い。そして、前者の携帯電話機１（ＲＦタグリーダライター）によって、後者の携帯電話機１（ＲＦタグ）を読み取ることにより、データを受け取ることが可能になる。これにより、後者の携帯電話機１（ＲＦタグ）内に記憶されている各種のデータを前者の携帯電話機１（ＲＦタグリーダライター）内に移すことができる。尚、上記各種のデータとしては、上述した携帯電話機１をＲＦタグとして使用する場合の各種用途のデータや、携帯電話機１の内蔵データ（例えば電話番号帳等のデータ）などが考えられる。上記携帯電話機１の内蔵データの場合には、該内蔵データをＲＦタグ（ＲＦタグリーダライター機能部３）のメモリ（公開メモリ）に予め記憶させておく必要がある。
【００４４】
ちなみに、２個の携帯電話機の間でデータを受け渡す装置の従来技術として、特開２０００−８３０８８号公報がある。しかし、この公報の構成の場合、２個の携帯電話機を接続する専用の接続ケーブルが必要であると共に、そのケーブルで２個の携帯電話機を接続する作業が必要になり、かなり面倒である。これに対して、上記実施例によれば、非接触で２個の携帯電話機間でデータを受け渡すことが可能になる。
【００４５】
また、上記実施例によれば、携帯電話機１のＲＦタグリーダライター機能部３（ＲＦタグ読取回路）によってＲＦタグとしての機能を模擬するように構成したので、ＲＦタグ用の回路を実装しなくても済む。従って、携帯電話機１に、ＲＦタグを読み取る機能とＲＦタグとしての機能とを付加しながら、携帯電話機１本体が大型化することを防止できる。
【００４６】
更に、上記実施例においては、公開メモリを備え、ＲＦタグリーダライター機能部３をＲＦタグとして機能させる場合に、上記公開メモリにアクセス可能なように構成したので、ＲＦタグとして動作したときに上記公開メモリに記憶させたデータを、携帯電話機１の電源オン時に携帯電話機１側から容易に利用することが可能になる。
【００４７】
更にまた、上記実施例において、携帯電話機１のＲＦタグリーダライター機能部３をＲＦタグとして機能させる場合に、携帯電話機１のバッテリからＲＦタグリーダライター機能部３に給電するように構成しても良い。このように構成すると、ＲＦタグとして動作するときの通信距離を通常よりも長くすることが可能になる。
【００４８】
一方、上記実施例において、ＲＦタグリーダライター機能部３の制御部８のメモリ（特には、そのＥＥＰＲＯＭ）に、読み取り対象のＲＦタグのＩＤを記憶するように構成すると共に、上記メモリに記憶されているＩＤのＲＦタグを指定して読み取り動作を実行するように構成することが好ましい。このように構成すると、特定のＲＦタグだけを指定して読み取ることができる。
【００４９】
図４は、本発明の第２の実施例を示すものである。尚、第１の実施例と同一構成には、同一符号を付している。この第２の実施例では、携帯電話機１の全体を制御するＭＰＵによって、ＲＦタグリーダライター機能部３（読取回路）を制御するように構成した、即ち、ＭＰＵを共通化するように構成した。
【００５０】
具体的には、図４に示すように、携帯電話機能部２を、メモリ６と、携帯電話通信回路７と、ＲＦタグリーダライター機能部３のＭＰＵ１４とから構成した。そして、ＲＦタグリーダライター機能部３を、ＭＰＵ１４と、メモリ１５と、エンコードデコード化ディジタル処理部９と、変復調アナログ処理部１０と、アンテナ部１１とから構成した。尚、メモリ１５は、ＲＯＭ、ＲＡＭ、ＥＥＰＲＯＭ等で構成されている。
【００５１】
また、本実施例の場合、ＲＦタグリーダライター機能部３のうちの、ＭＰＵ１４、メモリ１５、エンコードデコード化ディジタル処理部９及び変復調アナログ処理部１０は、例えば１個の半導体チップ（ＭＰＵチップ）で構成されている。
【００５２】
そして、上述した以外の第２の実施例の構成は、第１の実施例の構成とほぼ同じ構成となっている。従って、第２の実施例においても、第１の実施例のほぼ同じ作用効果を得ることができる。特に、第２の実施例によれば、携帯電話機１の全体を制御するＭＰＵ１４によって、ＲＦタグリーダライター機能部３（読取回路）を制御するように構成したので、部品点数を削減することができ、ひいては、携帯電話機１の本体を小形化できる。
【００５３】
図５は、本発明の第３の実施例を示すものである。尚、第１の実施例と同一構成には、同一符号を付している。この第３の実施例では、携帯電話機１の本体１６を、折りたたみ式のカード形状とするように構成した。
【００５４】
具体的には、図５（ａ）、（ｂ）、（ｃ）に示すように、携帯電話機１の本体１６は、２枚のカード部材１７、１８を折りたたみ可能な接続部材１９により接続して構成されている。カード部材１７には、キーボード２０、マイクロフォン２１、磁気回路を構成する高透磁率部材２２が配設されている。カード部材１８には、表示部２３、スピーカ２４、アンテナコイル２５（ＲＦタグリーダライター機能部３のアンテナ部１１）、磁気回路を構成する高透磁率部材２６が配設されている。上記高透磁率部材２２、２６をアンテナコイル２５の内部に配設する理由は、ＲＦタグが例えば電磁誘導方式である場合に、磁束の通り道を設定するためである。尚、携帯電話機１の回路には、金属部が多く、磁束が通り難いという特性がある。
【００５５】
そして、携帯電話機能部２、ＲＦタグリーダライター機能部３及び電源回路４を構成する各種の電気的構成は、２つのカード部材１７、１８に適宜分散して配設されている。尚、電源回路４のバッテリとしては、フィルム型の２次電池を用いれば良い。
【００５６】
また、カード部材１７、１８を折りたたんだ状態で、その厚み寸法が普通のカードの厚み寸法（例えば０．８ｍｍ）となるように構成することが好ましい。尚、各カード部材１７、１８の厚み寸法がそれぞれ普通のカードの厚み寸法（例えば０．８ｍｍ）となる程度に構成しても良い。
【００５７】
更に、上記第３の実施例においては、携帯電話機１の本体１６が折りたたまれた状態であることを検出する検出手段（例えばマイクロスイッチ等）を設けると共に、この検出手段からの検出結果に基づいて、携帯電話機１のＲＦタグリーダライター機能部（読取回路）３を、ＲＦタグのリーダライターとして機能させるモードとするか、ＲＦタグとして機能させるモードとするかを設定するモード設定手段の機能を設けるように構成されている。この場合、携帯電話機１の本体１６が折りたたまれているときに、例えばＲＦタグとして機能させるモードとし、該本体１６が開かれているときに、ＲＦタグのリーダライターとして機能させるモードとするように構成されている。
【００５８】
尚、上述した以外の第３の実施例の構成は、第１の実施例の構成とほぼ同じ構成となっている。従って、第３の実施例においても、第１の実施例のほぼ同じ作用効果を得ることができる。特に、第３の実施例によれば、携帯電話機１の本体１６を、折りたたみ式のカード形状としたので、携帯電話機１の本体１６が小形軽量になると共に、携帯電話機１の外観のデザインが良好なものとなる。
【００５９】
また、上記第３の実施例では、本体１６が折りたたまれた状態であることを検出する検出手段を設けると共に、この検出手段からの検出結果に基づいて、ＲＦタグリーダライター機能部３を、ＲＦタグのリーダライターとして機能させるモードとするか、ＲＦタグとして機能させるモードとするかを設定するモード設定手段を設けるように構成した。この構成によれば、携帯電話機１の電源オン時に、携帯電話機１を、ＲＦタグのリーダライターとして機能させるモードとするか、ＲＦタグとして機能させるモードとするかを自動的に設定することができるから、使い勝手が良くなる。
【００６０】
尚、上記各実施例や変形例においては、ＲＦタグ及びＲＦタグリーダライターに適用したが、これに代えて、非接触形ＩＣカード及び非接触形ＩＣカードリーダライターに適用しても良く、ほぼ同様な作用効果を得ることができる。
【図面の簡単な説明】
【図１】本発明の第１の実施例を示す携帯電話機のブロック図
【図２】ＲＦタグリーダライターによってＲＦタグを読み取るときの動作を説明する図
【図３】フローチャート
【図４】本発明の第２の実施例を示す図１相当図
【図５】本発明の第３の実施例を示すものであり、（ａ）は携帯電話機を開いた状態の上面図、（ｂ）は携帯電話機を開いた状態の側面図、（ｃ）携帯電話機を折りたたんだ状態の側面図
【符号の説明】
１はＲＦタグ読取機能付き携帯電話機、２は携帯電話機能部、３はＲＦタグリーダライター機能部（読取回路）、４は電源部、１１はアンテナ部、１２はＲＦタグリーダライター、１３はＲＦタグ、１４はＭＰＵ、１５はメモリ、１６は本体、１７、１８はカード部材、１９は接続部材を示す。
【図１】
2005020173.tif 000003
【図２】
2005020173.tif 000004
【図３】
2005020173.tif 000005
【図４】
2005020173.tif 000006
【図５】
2005020173.tif 000007